(57)【要約】【課題】シャーシ筐体のスロットに対する光メディアコンバータの挿抜時の煩雑さを軽減し得る集合型シャーシを提供する。【解決手段】光メディアコンバータ０１９０を収納するスロット０１０２を複数有するシャーシ筐体０１０１に設けられ、スロット０１０２に収納される光メディアコンバータ０１９０を固定する位置から取り出し可能な位置に退避可能な光メディアコンバータ０１９０を固定する固定部０１１０と、シャーシ筐体０１０１に離脱自在にねじ込まれシャーシ筐体０１０１に固定部０１１０自身を固定する固定部付属のねじ０１５０と、ねじ０１５０をねじ込んだ状態で固定部０１１０に退避方向への付勢力を付与するばね０１４０を備え、固定部０１１０は、ねじ０１５０をシャーシ筐体０１０１から離脱させることで、ばね０１４０による付勢力によりスロット０１０２から光メディアコンバータ０１９０を取り出し可能な位置に退避する。【選択図】図１Ａ
2020107631.tif 000002
【特許請求の範囲】
【請求項１】
カードモジュールを収納するスロットを複数有するシャーシ筐体を備えた集合型シャーシにおいて、
前記シャーシ筐体に設けられ、スロットに収納されるカードモジュールを固定する位置から、スロットからカードモジュールを取り出し可能な位置に退避可能な該カードモジュールを固定する固定部と、
前記シャーシ筐体に離脱自在にねじ込まれシャーシ筐体に固定部自身を前記固定する位置に固定するための固定部付属のねじと、
該固定部付属のねじを前記シャーシ筐体にねじ込んだ状態でシャーシ筐体と固定部との間に前記退避方向への付勢力を付与するばねを備え、
前記固定部は、前記固定部付属のねじを前記シャーシ筐体から離脱させることで、前記ばねによる付勢力により前記スロットからカードモジュールを取り出し可能な位置に退避する
集合型シャーシ。
【請求項２】
前記ばねの付勢力により前記固定部が退避するのに伴って、カードモジュールが有する係止部を介して前記固定部と連動するカードモジュールの先頭部分が前記スロットからせり出す
請求項１に記載の集合型シャーシ。
【請求項３】
前記スロットのモジュール載置面が樹脂で形成された平滑面としてある
請求項１又は２に記載の集合型シャーシ。
【請求項４】
前記シャーシ筐体における前記スロットの下方には、カードモジュールに接続するケーブルを載置するケーブル載置用舌片が前記シャーシ筐体に対して出し入れ自在に備えられている
請求項１〜３のいずれかに記載の集合型シャーシ。
【請求項５】
前記シャーシ筐体の複数のスロットは、基板がむき出しの基板タイプのカードモジュール及び基板がケースで被覆されたケースタイプのカードモジュールのいずれのタイプのカードモジュールも収納可能としてある請求項１〜４のいずれかに記載の集合型シャーシ。
【請求項６】
前記シャーシ筐体の複数のスロットは、２つ以上の隣接するスロットを使用するタイプのカードモジュールを収納可能としてある請求項１〜５のいずれかに記載の集合型シャーシ。
【請求項７】
前記スロットに収納される前記カードモジュールが光メディアコンバータである請求項１〜６のいずれかに記載の集合型シャーシ。
【発明の詳細な説明】
【技術分野】
【０００１】
本発明は、カードモジュール、例えば、光メディアコンバータを複数搭載可能な集合型シャーシに関する。
【背景技術】
【０００２】
従来、上記したようなカードモジュールを複数搭載可能な集合型シャーシとしては、例えば、特許文献１に記載された通信機器がある。
【０００３】
この通信機器は、カードモジュールであるメディアコンバータを複数搭載可能な通信機器であって、メディアコンバータを上下から支持する上，下支持板（スロット）を複数組有する集合型のキャビネットを備えており、上，下支持板には、雌ねじ部がそれぞれ形成されている。
一方、メディアコンバータのフロントパネルには、ノブ付きネジ部材が上下２か所に配置されている。
【０００４】
この通信機器では、キャビネットの上，下支持板間に挿入したメディアコンバータの上下のノブ付きネジ部材を上，下支持板の雌ねじ部にそれぞれねじ込むことで、上，下支持板間からメディアコンバータが抜け出るのを阻止している。
そして、メディアコンバータのノブ付きネジ部材を上，下支持板の雌ねじ部から外すことで、キャビネットの上，下支持板間からメディアコンバータを抜き出すことができるようになっている。
【０００５】
このような構成の通信機器において、キャビネットの上，下支持板間に対するメディアコンバータの挿抜時には、上支持板の雌ねじ部及び下支持板の雌ねじ部のそれぞれに対するノブ付きネジ部材の回動動作が必要であり、キャビネットに対して多数のメディアコンバータの挿抜を行う場合には、メディアコンバータ個々で行う上下２か所におけるノブ付きネジ部材の回動動作が思いの外煩雑なものとなっている。
【０００６】
従来、このようなメディアコンバータ（カードモジュール）の挿抜作業時における煩雑さを軽減するべく成された集合型シャーシが、例えば、特許文献２に記載されている。
【０００７】
特許文献２に記載された集合型シャーシは、カードモジュールであるラインカードを複数搭載可能な伝送装置であって、ラインカードが挿入されるスロットを複数有するシャーシ型の筐体を備えており、この筐体の前面上部にはねじ穴が形成されている。
この場合、ラインカードには、レバーが上下方向に沿って配置されており、このレバーは、下端部を中心にして上端部を手前側に引き倒し可能となっていて、上端部には固定ねじが配置されている。
【０００８】
この伝送装置において、ラインカードのレバー上端部の固定ねじを筐体の前面上部のねじ穴に螺合することで、スロットに挿入したラインカードの抜け出しを阻止している。
そして、筐体のねじ穴から固定ねじを外すのに続いて、レバー上端部を手前側に引き倒すことで、筐体のスロットからラインカードを抜き出すことができるようになっている。
【先行技術文献】
【特許文献】
【０００９】
【特許文献１】特開２００６−２７８５５９号公報
【特許文献２】特開２０１６−２２５４６７号公報
【発明の概要】
【発明が解決しようとする課題】
【００１０】
ところが、上記した伝送装置において、筐体のスロットに対するラインカードの挿抜時には、筐体のねじ穴に対する固定ねじの回動動作が１回で済むものの、この筐体のねじ穴に対する固定ねじの回動動作に加えて、レバー上端部の引き上げ及び引き倒しの各動作が必要である。
【００１１】
つまり、上記した伝送装置においても、筐体に対して多数のラインカードの挿抜を行う場合には、特許文献１に記載の通信機器の場合と同様に、ラインカードの一つひとつに必要な二つの動作が煩雑なものとなっているという問題があり、これを解決することが従来の課題となっている。
【００１２】
本発明は、上記した従来の課題を解決するために成されたものであり、シャーシ筐体のスロットに対するカードモジュールの挿抜時における煩雑さを軽減することが可能である集合型シャーシを提供することを目的としている。
【課題を解決するための手段】
【００１３】
上記課題を解決するために、本発明は、以下の集合型シャーシを提供する。
すなわち、本発明における第１の発明は、カードモジュールを収納するスロットを複数有するシャーシ筐体を備えた集合型シャーシにおいて、前記シャーシ筐体に設けられ、スロットに収納されるカードモジュールを固定する位置から、スロットからカードモジュールを取り出し可能な位置に退避可能な該カードモジュールを固定する固定部と、前記シャーシ筐体に離脱自在にねじ込まれシャーシ筐体に固定部自身を前記固定する位置に固定するための固定部付属のねじと、該固定部付属のねじを前記シャーシ筐体にねじ込んだ状態でシャーシ筐体と固定部との間に前記退避方向への付勢力を付与するばねを備え、前記固定部は、前記固定部付属のねじを前記シャーシ筐体から離脱させることで、前記ばねによる付勢力により前記スロットからカードモジュールを取り出し可能な位置に退避する構成としている。
【００１４】
また、本発明における第２の発明は、前記ばねの付勢力により前記固定部が退避するのに伴って、カードモジュールが有する係止部を介して前記固定部と連動するカードモジュールの先頭部分が前記スロットからせり出す構成としている。
【００１５】
さらに、本発明における第３の発明は、前記スロットのモジュール載置面が樹脂で形成された平滑面としてある構成としている。
【００１６】
さらにまた、本発明における第４の発明において、前記シャーシ筐体における前記スロットの下方には、カードモジュールに接続するケーブルを載置するケーブル載置用舌片が前記シャーシ筐体に対して出し入れ自在に備えられている構成としている。
【００１７】
さらにまた、本発明における第５の発明において、前記シャーシ筐体の複数のスロットは、基板がむき出しの基板タイプのカードモジュール及び基板がケースで被覆されたケースタイプのカードモジュールのいずれのタイプのカードモジュールも収納可能としてある構成としている。
【００１８】
さらにまた、本発明における第６の発明において、前記シャーシ筐体の複数のスロットは、２つ以上の隣接するスロットを使用するタイプのカードモジュールを収納可能としてある構成としている。
【００１９】
さらにまた、本発明における第７の発明は、前記スロットに収納される前記カードモジュールが光メディアコンバータである構成としている。
【発明の効果】
【００２０】
本発明によれば、シャーシ筐体のスロットに対するカードモジュールの挿抜時における煩雑さを軽減することが可能であるという非常に優れた効果が得られる。
【図面の簡単な説明】
【００２１】
【図１Ａ】実施形態１の集合型シャーシの全体斜視図
【図１Ｂ】実施形態１の集合型シャーシの部分拡大斜視図
【図１Ｃ】実施形態１の集合型シャーシにおけるシャーシ筐体を構成するベース金具の部分拡大斜視図
【図１Ｄ】実施形態１の集合型シャーシにおける固定部に対する固定部付属のピン，トーションばね及びねじの組み付け要領を示す斜視図
【図１Ｅ】実施形態１の集合型シャーシにおける固定部の動作を説明するための断面図
【図１Ｆ】実施形態１の集合型シャーシにおける固定部の一部を破断して示す斜視図
【図１Ｇ】実施形態１の集合型シャーシにおける固定部の変形例を示す部分斜視図
【図２Ａ】実施形態２の集合型シャーシにおける固定部の一部を破断して示す斜視図
【図２Ｂ】実施形態２の集合型シャーシにおける固定部の動作を説明するための断面図
【図３】実施形態３における集合型シャーシの部分拡大斜視図
【図４】実施形態４おける集合型シャーシの全体斜視図
【図５】実施形態５おける集合型シャーシの部分拡大斜視図
【図６Ａ】実施形態６おける集合型シャーシの全体斜視図
【図６Ｂ】実施形態６おける集合型シャーシの複数のスロット個々にカードモジュールを収納した状態の部分断面図
【図６Ｃ】実施形態６おける集合型シャーシに２つ以上の隣接するスロットを使用するタイプのカードモジュールを収納した状態の部分断面図
【発明を実施するための形態】
【００２２】
以下、本発明の実施の形態について、添付図面を用いて説明する。なお、本発明は、これら実施形態に何ら限定されるべきものではなく、その要旨を逸脱しない範囲において、種々なる態様で実施し得る。
＜実施形態１＞
＜概要＞
【００２３】
本実施形態の集合型シャーシは、シャーシ筐体のスロットに対する光メディアコンバータ（カードモジュール）の挿抜に際して、この光メディアコンバータを固定する固定部が、固定部付属のねじの回動操作で、光メディアコンバータを挿抜可能な位置に退避することを特徴とする。
このように、固定部付属のねじを回す一操作のみで光メディアコンバータのスロットに対する挿抜が可能になるので、光メディアコンバータを挿抜する際の煩雑さを軽減することができるという効果を奏する。
＜構成＞
【００２４】
本実施形態に係る集合型シャーシは、光ファイバを利用した通信システムに用いられるものである。
図１（Ａ）に示すように、この集合型シャーシ０１００は、光メディアコンバータ（カードモジュール）０１９０を複数搭載可能なシャーシ筐体０１０１を備えている。このシャーシ筐体０１０１には、光メディアコンバータ０１９０を収納するスロット０１０２が複数設けられており、図１（Ａ）の拡大楕円内にも示すように、スロット０１０２は、光メディアコンバータ０１９０の挿抜を案内するべく溝状を成している。
なお、複数のスロット０１０２のうちの使用しないスロット０１０２をカバー０１０３で覆うことで、スロット０１０２内への塵埃の侵入を防ぐようにしている。
【００２５】
シャーシ筐体０１０１の奥側に位置する図示しないバックボードには、筐体側コネクタが複数のスロット０１０２の個々に対応するようにして配置されており、スロット０１０２に光メディアコンバータ０１９０を挿入して押し込むと、コンバータ側コネクタが筐体側コネクタに嵌合するようになっている。これにより、光メディアコンバータ０１９０とバックボードとが電気的に接続されて、シャーシ筐体０１０１に搭載される光メディアコンバータ０１９０の設定変更や状態監視をシャーシ筐体０１０１側から行い得ることとなる。
【００２６】
図１（Ｂ）にも示すように、集合型シャーシ０１００のシャーシ筐体には、スロットに収納した光メディアコンバータ０１９０の抜け出しを阻止する固定部０１１０が、複数のスロット０１０２毎に設けられており、これらの固定部０１１０は、ベース金具０１２０を介してシャーシ筐体に取り付けられている。
【００２７】
ベース金具０１２０は、溝形鋼（チャンネル）状を成しており、このベース金具０１２０は、一方の壁０１２１及びこれと対向する他方の壁０１２２の間に位置する中間壁０１２３がシャーシ筐体の正面手前側に位置し、且つ、一方の壁０１２１及び他方の壁０１２２が上下に位置するようにしてシャーシ筐体の上部に固定されている。
【００２８】
図１（Ｃ）にも示すように、ベース金具０１２０は、中間壁０１２３に形成されたねじ穴０１２４を有している。また、ベース金具０１２０は、一方の壁０１２１及び中間壁０１２３との境目に形成された上切欠き０１２５と、他方の壁０１２２及び中間壁０１２３との境目に形成された大小２つの下切欠き０１２６，０１２７を有している。さらに、ベース金具０１２０は、一方の壁０１２１及び他方の壁０１２２の双方に互いに同軸で形成された支持孔０１２８，０１２９を有しており、下側に位置する支持孔０１２９は、上側に位置する支持孔０１２８よりも若干小径に形成されている。
そして、上記ねじ穴０１２４、上切欠き０１２５、大小２つの下切欠き０１２６，０１２７及び支持孔０１２８，０１２９は、いずれもベース金具０１２０における固定部０１１０の取り付け部位毎に形成されている。
【００２９】
図１（Ｄ）に示すように、固定部０１１０は、側面視コ字状を成す所謂コの字金具であり、この固定部０１１０には、固定部付属のピン０１３０，トーションばね０１４０及びねじ０１５０が組み付けられるようになっている。
【００３０】
この固定部０１１０の互いに向かい合う一方の対向片０１１１及び他方の対向片０１１２には、貫通孔０１１３，０１１４がそれぞれ同軸で形成されている。これらの一方の対向片０１１１及び他方の対向片０１１２は、ベース金具０１２０の上切欠き０１２５及び大の下切欠き０１２６を通してベース金具０１２０の奥側にそれぞれ挿入されるようになっている。
【００３１】
この際、ベース金具０１２０の支持孔０１２８，０１２９間に固定部０１１０の貫通孔０１１３，０１１４を同軸で位置させると共に、これらの貫通孔０１１３，０１１４間の軸上にトーションばね０１４０のリング部０１４１を位置させるようにしている。
そして、この位置関係を保った状態でベース金具０１２０の一方の壁０１２１の支持孔０１２８からピン０１３０を挿入して、その小径先端部０１３１をベース金具０１２０の他方の壁０１２２の支持孔０１２９に嵌合するようにしている。
【００３２】
これにより、図１（Ｅ）に示すように、固定部０１１０は、ベース金具０１２０に対してピン０１３０周りに回動自在に組み付けられるようになっている。すなわち、固定部０１１０は、スロット０１０２に収納される光メディアコンバータ０１９０を固定する位置（図１（Ｅ）左側の位置）から、光メディアコンバータ０１９０をスロット０１０２から取り出し得る位置（図１（Ｅ）右側の位置）に退避可能となっている。
【００３３】
固定部付属のねじ０１５０は、ローレット加工が施された回動操作用のノブ０１５１を有しており、雄ねじ０１５２は先端部のみに形成されている。このねじ０１５０は、固定部０１１０の互いに向かい合う対向片０１１１，０１１２間の中間片０１１５に形成したねじ穴０１１６に雄ねじ０１５２をねじ込んで貫通させることで、固定部０１１０に保持されるようになっている。
【００３４】
この固定部付属のねじ０１５０は、ベース金具０１２０における中間壁０１２３のねじ穴０１２４に雄ねじ０１５２を離脱自在にねじ込むことで、光メディアコンバータ０１９０を固定する位置に固定部０１１０自身を固定するようになっている。
【００３５】
この実施形態において、図１（Ｆ）にも示すように、固定部０１１０のベース金具０１２０の大の下切欠き０１２６に挿入される他方の対向片０１１２には、固定フック０１１７が形成されている。この固定フック０１１７は、固定部付属のねじ０１５０の雄ねじ０１５２をベース金具０１２０のねじ穴０１２４にねじ込んだ状態において、光メディアコンバータ０１９０が有する突起０１９１と係止して、スロット０１０２からの抜け出しを阻止するようになっている。
なお、光メディアコンバータ０１９０の突起０１９１は、光メディアコンバータ０１９０の挿抜時において、ベース金具０１２０の小の下切欠き０１２７を通過するようになっている。
【００３６】
また、この実施形態において、固定部０１１０の他方の対向片０１１２には、ばね受け０１１８が形成されており、このばね受け０１１８には、ピン０１３０にリング部０１４１を嵌装したトーションばね０１４０の一方のアーム０１４２が係止するようになっている。
【００３７】
そして、固定部付属のねじ０１５０の雄ねじ０１５２をベース金具０１２０のねじ穴０１２４にねじ込んだ状態において、トーションばね０１４０の他方のアーム０１４３をベース金具０１２０の中間壁０１２３の裏側にアーム角を狭めた状態で当接させることで、固定部０１１０に対して退避方向への付勢力を付与するようにしている。
【００３８】
つまり、固定部付属のねじ０１５０の雄ねじ０１５２をベース金具０１２０のねじ穴０１２４から離脱させることで、固定部０１１０は、トーションばね０１４０による付勢力を受けて、光メディアコンバータ０１９０をスロット０１０２から取り出し得る位置に退避動作するようになっている。
【００３９】
なお、トーションばね０１４０には市販のものを使用することができ、リング部０１４１がピン０１３０に若干の余裕を持って嵌装し、且つ、両アーム０１４２，０１４３の成す角度（アーム角）が１３５°程度のものを使用する。
【００４０】
この実施形態に係る集合型シャーシ０１００において、シャーシ筐体０１０１のスロット０１０２に光メディアコンバータ０１９０を挿入する場合は、スロット０１０２を覆っているカバー０１０３を外すのに続いて、固定部付属のねじ０１５０を回動操作してその雄ねじ０１５２をベース金具０１２０のねじ穴０１２４から離脱させる。
【００４１】
すると、トーションばね０１４０による付勢力が付与されている固定部０１１０が、光メディアコンバータ０１９０を挿入可能な位置に退避するので、光メディアコンバータ０１９０をスロット０１０２に支障なく挿入し得ることとなる。
【００４２】
そして、光メディアコンバータ０１９０をスロット０１０２に挿入するのに続いて、トーションばね０１４０のアーム角を狭めつつ、固定部付属のねじ０１５０を回動操作してベース金具０１２０のねじ穴０１２４に雄ねじ０１５２をねじ込み、光メディアコンバータ０１９０の固定位置で固定部０１１０自身を固定する。
【００４３】
この状態において、固定部０１１０の固定フック０１１７が光メディアコンバータ０１９０の突起０１９１と係止しているので、光メディアコンバータ０１９０のスロット０１０２からの抜け出しが阻止されることとなる。
つまり、固定部付属のねじ０１５０を回す一操作のみで光メディアコンバータ０１９０の固定が成されることとなる。
【００４４】
一方、シャーシ筐体０１０１のスロット０１０２から光メディアコンバータ０１９０を取り出す場合は、固定部付属のねじ０１５０を回動操作してその雄ねじ０１５２をベース金具０１２０のねじ穴０１２４から離脱させる。
【００４５】
このとき、挿入時と同様に、固定部０１１０がトーションばね０１４０による付勢力を受けて、光メディアコンバータ０１９０をスロット０１０２から取り出し得る位置に退避し、これにより、固定部０１１０の固定フック０１１７が光メディアコンバータ０１９０の突起０１９１から離間する。
【００４６】
したがって、この場合も、固定部付属のねじ０１５０を回す一操作のみで光メディアコンバータ０１９０の取り出しが可能となる。
【００４７】
また、この実施形態に係る集合型シャーシ０１００において、固定部付属のねじ０１５０は、その雄ねじ０１５２を固定部０１１０の中間片０１１５のねじ穴０１１６にねじ込んで貫通させることで、固定部０１１０に保持されているので、ねじ０１５０の紛失を回避することができる。
＜他の形態例＞
【００４８】
ここまで、スロット０１０２に挿入した光メディアコンバータ０１９０を固定部０１１０により固定する構成として、固定部０１１０に設けた固定フック０１１７を光メディアコンバータ０１９０が有する突起０１９１に係止させる構成を例示した。
【００４９】
しかしながら、この構成に限定されるものではなく、他の構成として、例えば、図１（Ｇ）に示すように、固定部０１１０の他方の対向片０１１２に、中間片０１１５とは反対方向に垂れ下がる下向きフック０１１９が形成されている構成としてもよい。
この場合には、光メディアコンバータ０１９０の前面０１９２に、固定部０１１０の下向きフック０１１９を当接させることで、光メディアコンバータ０１９０のスロット０１０２からの抜け出しを阻止し得ることとなる。したがって、突起０１９１のない光メディアコンバータ０１９０の固定解除にも対応し得ることとなる。
＜効果＞
【００５０】
本実施形態により、従来技術に対して、シャーシ筐体のスロットに対するカードモジュールの挿抜時における煩雑さを軽減することができる。
＜実施形態２＞
＜概要＞
【００５１】
本実施形態は実施形態１を基本とし、ばねによる付勢力によって固定部が退避動作するのに伴って、光メディアコンバータ（カードモジュール）の先頭部分がスロットからせり出すことを特徴としている。
このように、固定部付属のねじの回動操作による固定部の退避動作に連動して、光メディアコンバータの先頭部分がスロットからせり出すので、光メディアコンバータを取り出し易くなるという効果を奏する。
＜構成＞
【００５２】
本実施形態において、先の実施形態と相違するところは、図２（Ａ）に示すように、固定部０２１０の他方の対向片０２１２に、押圧フック０２１７が形成されている点にあり、他の構成は先の実施形態と同じである。
【００５３】
すなわち、図２（Ｂ）に示すように、押圧フック０２１７は、光メディアコンバータ０２９０が有する突起（係止部）０２９１にベース金具０２２０の奥側（図示上側）から係止するものとなっている。
【００５４】
本実施形態に係る集合型シャーシでは、光メディアコンバータ０２９０の固定位置で固定部０２１０自身が固定されている状態（図２（Ｂ）左側の状態）において、固定部付属のねじ０２５０の雄ねじ０２５２をベース金具０２２０のねじ穴０２２４から離脱させると、固定部０２１０がトーションばね０２４０による付勢力を受けて、光メディアコンバータ０２９０を取り出し得る位置に退避する（図２（Ｂ）中央の状態）。
【００５５】
この間、退避する固定部０２１０の押圧フック０２１７が光メディアコンバータ０２９０の突起０２９１をベース金具０２２０の手前側（図示下側）に押圧するので、これにより、光メディアコンバータ０２９０がスロットから出る方向に移動し、最終的に、光メディアコンバータ０２９０の先頭部分がスロットからせり出すこととなる（図２（Ｂ）右側の状態）。
【００５６】
また、本実施形態に係る集合型シャーシにおいて、光メディアコンバータ０２９０をスロットに挿入する場合には、光メディアコンバータ０２９０を挿入するのに伴って、退避している固定部０２１０の押圧フック０２１７に光メディアコンバータ０２９０の突起０２９１が当接する。これにより、固定部０２１０の押圧フック０２１７がベース金具０２２０の奥側（図示上側）に押圧されるので、退避位置にある固定部０２１０が光メディアコンバータ０２９０の挿入動作に連動して固定位置に移動することとなる。
＜効果＞
【００５７】
本実施形態では、光メディアコンバータを取り出すに際して、固定部付属のねじの回動操作を行うと、固定部が退避動作するのに連動して光メディアコンバータの先頭部分がスロットからせり出すので、光メディアコンバータを簡単に取り出すことができる。
＜実施形態３＞
＜概要＞
【００５８】
本実施形態の集合型シャーシは、先の実施形態２の集合型シャーシを基本とし、スロットのモジュール載置面を樹脂で形成した平滑面としたことを特徴としている。
このように、スロットのモジュール載置面を樹脂製の平滑面とすることで、スロットのモジュール載置面上での光メディアコンバータ（カードモジュール）の摺動が円滑になる。
＜構成＞
【００５９】
本実施形態において、先の実施形態２と相違するところは、図３に示すように、光メディアコンバータ０３９０を収納する溝状のスロット０３０２において、光メディアコンバータ０３９０を載置するモジュール載置面０３０４を樹脂、例えば、ポリテトラフルオロエチレン等のフッ素樹脂で形成した平滑面としており、他の構成は先の実施形態と同じである。
【００６０】
本実施形態に係る集合型シャーシでは、スロット０３０２のモジュール載置面０３０４を摩擦係数の低い樹脂で形成した平滑面としているので、光メディアコンバータ０３９０が溝状のスロット０３０２をスムーズに摺動することとなる。
＜効果＞
【００６１】
本実施形態により、スロットに対する光メディアコンバータの挿抜をより一層円滑に行うことができる。
＜実施形態４＞
＜概要＞
【００６２】
本実施形態の集合型シャーシは、先の実施形態１の集合型シャーシを基本とし、シャーシ筐体におけるスロットの下方に、光メディアコンバータ（カードモジュール）に接続するケーブル（光ファイバを含む）を載置するトレイ（ケーブル載置用舌片）を設けたことを特徴としている。
このように、シャーシ筐体のスロットの下方にケーブル載置用のトレイを設けることで、光メディアコンバータに接続するケーブルの余長分の取り回しが楽になるという効果を奏する。
＜構成＞
【００６３】
本実施形態において、先の実施形態１と相違するところは、図４に示すように、シャーシ筐体０４０１のスロット０４０２の下方に、光メディアコンバータ０４９０に接続するケーブル０４９２を載置するトレイ０４０４を設け、このトレイ０４０４をシャーシ筐体０４０１に対して引き出しの要領で図示矢印方向に出し入れ自在とした点にあり、他の構成は先の実施形態と同じである。
【００６４】
本実施形態に係る集合型シャーシでは、シャーシ筐体０４０１のスロット０４０２に光メディアコンバータ０４９０を収納した際に、この光メディアコンバータ０４９０に接続するケーブル０４９２に余長分があったとしても、スロット０４０２の下方のトレイ０４０４をシャーシ筐体０４０１から引き出してケーブル０４９２を載せることで、余長分が垂れ下がるのを阻止し得ることとなる。
【００６５】
本実施形態では、隣接する複数のスロット０４０２に対して１つのトレイ０４０４を配置するようにしているが、複数のスロット０４０２の一つひとつにトレイ０４０４を配置してもよい。
＜効果＞
【００６６】
本実施形態により、光メディアコンバータに接続するケーブルの余長分の取り回しを簡単に行うことができる。
＜実施形態５＞
＜概要＞
【００６７】
本実施形態の集合型シャーシは、先の実施形態１のケースで被覆されたケースタイプの光メディアコンバータ（カードモジュール）を搭載する集合型シャーシを基本とし、基板がむき出しの基板タイプのカードモジュールも収納可能としてあることを特徴としている。
このように、ケースタイプの光メディアコンバータだけでなく、基板タイプのカードモジュールも収納可能とすることで、利便性を高めることができるという効果を奏する。
＜構成＞
【００６８】
本実施形態において、先の実施形態１と相違するところは、図５に示すように、ケースタイプの光メディアコンバータの挿抜を案内するべく溝状を成しているスロット０５０２に、基板タイプのカードモジュール０５９０における基板０５９３の下端縁が摺動自在に嵌り込むガイド溝０５０５を設けた点にあり、他の構成は先の実施形態１と同じである。
【００６９】
本実施形態に係る集合型シャーシにおいて、ケースタイプの光メディアコンバータをスロット０５０２に収納する場合には、スロット０５０２が溝状を成しているので光メディアコンバータの挿入が支障なくなされることとなる。一方、基板タイプのカードモジュール０５９０をスロット０５０２に収納する場合には、基板タイプのカードモジュール０５９０における基板０５９３の下端縁がスロット０５０２内のガイド溝０５０５に摺動自在に嵌り込むので、この基板タイプのカードモジュール０５９０の挿入も支障なくなされることとなる。
＜効果＞
【００７０】
本実施形態により、ケースタイプの光メディアコンバータ及び基板タイプのカードモジュールのいずれをも収納することができるので、利便性の向上を実現できる。
＜実施形態６＞
＜概要＞
【００７１】
本実施形態の集合型シャーシは、先の実施形態１の集合型シャーシを基本とし、シャーシ筐体の複数のスロットにおいて、２つ以上の隣接するスロットを使用するタイプのカードモジュールを収納可能としてあることを特徴としている。
このように、ケースタイプの光メディアコンバータ（カードモジュール）を１つずつ収納するスロットを複数有するシャーシ筐体に、２つ以上の隣接するスロットを使用するタイプのカードモジュールを収納可能とすることで、利便性を高めることができるという効果を奏する。
＜構成＞
【００７２】
本実施形態において、先の実施形態１と相違するところは、図６（Ａ）に示すように、１つの光メディアコンバータ０６９０を収納するスロット０６０２を複数有する集合型シャーシ０６００のシャーシ筐体０６０１において、２つ以上の隣接するスロット０６０２を使用するタイプの幅広カードモジュール０６９５を収納可能とした点にあり、他の構成は先の実施形態１と同じである。
【００７３】
具体的には、図６（Ｂ）に示すように、シャーシ筐体０６０１の複数のスロット０６０２に、ケースタイプの光メディアコンバータ０６９０が有する下向き突条０６９４が摺動自在に嵌り込むガイド溝０６０５をそれぞれ設けることで、ケースタイプの光メディアコンバータ０６９０の収納を可能としている。
【００７４】
一方、図６（Ｃ）に示すように、２つ以上の隣接するスロット０６０２を使用するタイプの幅広カードモジュール０６９５の場合には、この幅広カードモジュール０６９５が有する下向き突条０６９４を使用する複数のスロット０６０２のうちのいずれかのスロット０６０２のガイド溝０６０５（図示例では左端のスロット０６０２のガイド溝０６０５）に嵌合させることで、幅広カードモジュール０６９５の収納を可能としている。
＜効果＞
【００７５】
本実施形態により、ケースタイプの光メディアコンバータ及び２つ以上の隣接するスロットを使用するタイプのカードモジュールのいずれをも収納することができるので、利便性の向上を実現できる。
【符号の説明】
【００７６】
０１００，０６００  集合型シャーシ
０１０１，０４０１，０６０１  シャーシ筐体
０１０２，０３０２，０４０２，０５０２，０６０２  スロット
０１１０，０２１０  固定部
０１４０  ばね
０１５０，０２５０  固定部付属のねじ
０１９０，０２９０，０３９０，０４９０  光メディアコンバータ（カードモジュール）
０２１７  押圧フック
０２９１  突起（係止部）
０３０４  モジュール載置面
０４０４  トレイ（ケーブル載置用舌片）
０４９２  ケーブル
０５９０  基板タイプのカードモジュール
０５９３  基板
０６９５  幅広カードモジュール
【図１Ａ】
2020107631.tif 000003
【図１Ｂ】
2020107631.tif 000004
【図１Ｃ】
2020107631.tif 000005
【図１Ｄ】
2020107631.tif 000006
【図１Ｅ】
2020107631.tif 000007
【図１Ｆ】
2020107631.tif 000008
【図１Ｇ】
2020107631.tif 000009
【図２Ａ】
2020107631.tif 000010
【図２Ｂ】
2020107631.tif 000011
【図３】
2020107631.tif 000012
【図４】
2020107631.tif 000013
【図５】
2020107631.tif 000014
【図６Ａ】
2020107631.tif 000015
【図６Ｂ】
2020107631.tif 000016
【図６Ｃ】
2020107631.tif 000017